(57)【要約】【課題】  画像データ及び出力条件を保証したプルーフの複製物を作成可能なプルーフ作成システム及びプルーフ作成方法を提供する。【解決手段】  このプルーフ作成方法は、検版のためのプルーフを画像データに基づいて作成する際に、出力に必要な情報をプルーフに付加し、プルーフに付加された情報を読み取り、読み取られた情報及び画像データに基づいてプルーフの複製物を作成する。【選択図】  図６
2006113452.tif 000002
【特許請求の範囲】
【請求項１】
検版のためのプルーフを画像データに基づいて作成するシステムにおいて、
出力に必要な情報をプルーフに付加し、前記プルーフに付加された情報を読み取り、前記読み取られた情報及び前記画像データに基づいて前記プルーフの複製物を作成することを特徴とするプルーフ作成システム。
【請求項２】
前記出力に必要な情報をコード化して記憶させた画像を前記プルーフに付加することを特徴とする請求項１に記載のプルーフ作成システム。
【請求項３】
前記出力に必要な情報を記憶させた非接触タグを前記プルーフに付加することを特徴とする請求項１または２に記載のプルーフ作成システム。
【請求項４】
検版のためのプルーフを画像データに基づいて作成する方法において、
出力に必要な情報をプルーフに付加するステップと、
前記プルーフに付加された情報を読み取るステップと、
前記読み取られた情報及び前記画像データに基づいて前記プルーフの複製物を作成するステップと、を含むことを特徴とするプルーフ作成方法。
【請求項５】
前記出力に必要な情報をコード化して記憶させた画像を前記プルーフに付加することを特徴とする請求項４に記載のプルーフ作成方法。
【請求項６】
前記出力に必要な情報を記憶させた非接触タグを前記プルーフに付加することを特徴とする請求項４に記載のプルーフ作成方法。
【請求項７】
前記プルーフ作成のための画像データの生成のときに前記出力に必要な情報をプルーフに付加することを特徴とする請求項４，５または６に記載のプルーフ作成方法。
【請求項８】
前記プルーフ作成のための画像データの生成のときに前記出力に必要な情報を読み取ることを特徴とする請求項４，５または６に記載のプルーフ作成方法。
【請求項９】
前記プルーフの複製物の作成のときに前記出力に必要な情報を読み取ることを特徴とする請求項４乃至８のいずれか１項に記載のプルーフ作成方法。
【発明の詳細な説明】
【技術分野】
【０００１】
本発明は、検版のためのプルーフを作成するプルーフ作成システム及びプルーフ作成方法に関する。
【背景技術】
【０００２】
従来、印刷工程ではカラー印刷物の校正のため校正物（カラープルーフ）を別途作成し、本番の印刷版を作成する前に印刷物の仕上がりを事前に確認している。このため、網点画像データ生成装置等のフロント装置で多値画像データを網点化し２値画像データを生成し、この網点画像データに基づいてカラープルーフ作成装置でカラープルーフ（校正物）を作成している（例えば、下記特許文献１参照）。
【０００３】
かかるカラープルーフを作成する場合、予め複数の出力条件をフロント装置またはカラープルーフ作成装置が有しており、作成するプルーフの画像データと出力条件の選択情報をフロント装置からカラープルーフ作成装置へ転送することで、カラープルーフを作成していた。
【０００４】
上述のように作成されたプルーフは、時間経過後に、各工程に必要なプルーフの複製物を作成し出力する際に、プルーフ自体と出力した複製物との整合性を保証することができなかったため、従来までは、プルーフを管理帳票で管理し、間接的に確認可能としていた。
【特許文献１】特開１１−２０５６２２号公報
【特許文献２】特開平８−１３３４２４号公報
【発明の開示】
【発明が解決しようとする課題】
【０００５】
本発明は、上述のような従来技術の問題に鑑み、画像データ及び出力条件を保証したプルーフの複製物を作成可能なプルーフ作成システム及びプルーフ作成方法を提供することを目的とする。
【課題を解決するための手段】
【０００６】
上記目的を達成するために、本発明によるプルーフ作成システムは、検版のためのプルーフを画像データに基づいて作成するシステムにおいて、出力に必要な情報をプルーフに付加し、前記プルーフに付加された情報を読み取り、前記読み取られた情報及び前記画像データに基づいて前記プルーフの複製物を作成することを特徴とする。
【０００７】
このプルーフ作成システムによれば、プルーフに付加された複製物の出力に必要な情報を読み取り、読み取られた情報及びプルーフ作成のときの画像データに基づいてプルーフの複製物を作成するので、画像データ及び出力条件を保証したプルーフの複製物を作成できる。
【０００８】
上記プルーフ作成システムにおいて、前記出力に必要な情報をコード化して記憶させた画像を前記プルーフに付加することが好ましい。
【０００９】
また、前記出力に必要な情報を記憶させた非接触タグを前記プルーフに付加するようにすることが好ましい。
【００１０】
なお、上記プルーフ作成システムは、網点画像データ生成装置と、カラープルーフ作成装置と、を備え、網点画像データ生成装置で出力に必要な情報を付加し、カラープルーフ作成装置で読み取るように構成できる。また、網点画像データ生成装置で出力に必要な情報を読み取るように構成できる。なお、網点画像データは、網点画像データ生成装置に保存していたものを使用できるが、複製物の作成のときに、元データから新たに生成するようにしてもよい。
【００１１】
本発明によるプルーフ作成方法は、検版のためのプルーフを画像データに基づいて作成する方法において、出力に必要な情報をプルーフに付加するステップと、前記プルーフに付加された情報を読み取るステップと、前記読み取られた情報及び前記画像データに基づいて前記プルーフの複製物を作成するステップと、を含むことを特徴とする。
【００１２】
このプルーフ作成方法によれば、プルーフに付加された複製物の出力に必要な情報を読み取り、読み取られた情報及びプルーフ作成のときの画像データに基づいてプルーフの複製物を作成するので、画像データ及び出力条件を保証したプルーフの複製物を作成できる。
【００１３】
上記プルーフ作成方法において、前記出力に必要な情報をコード化して記憶させた画像を前記プルーフに付加することが好ましい。
【００１４】
また、前記出力に必要な情報を記憶させた非接触タグを前記プルーフに付加することが好ましい。
【００１５】
また、前記プルーフ作成のための画像データの生成のときに前記出力に必要な情報をプルーフに付加するようにできる。
【００１６】
また、前記プルーフ作成のための画像データの生成のときに前記出力に必要な情報を読み取るようにできる。
【００１７】
また、前記プルーフの複製物の作成のときに前記出力に必要な情報を読み取るようにできる。
【発明の効果】
【００１８】
本発明のプルーフ作成システム及びプルーフ作成方法によれば、画像データ及び出力条件を保証したプルーフの複製物を作成できる。
【発明を実施するための最良の形態】
【００１９】
以下、本発明を実施するための最良の形態について図面を用いて説明する。図１は本実施の形態によるプルーフ作成システムを含む印刷システムの構成例を概略的に示す図である。
【００２０】
図１に示すように、印刷システムは、印刷工場のクライアント端末１ＡからＰＳ(PostScript)データ等の画像データが画像処理装置であるＲＩＰ(Raster Image Processor)２に入力し、ＲＩＰ２はＰＳデータをラスター・イメージに変換処理し、ＲＩＰ２でラスター・イメージ変換処理されたデジタルデータがＲＩＰ２から転送され直接印刷用の原版を作成するための装置であるＣＴＰ（コンピュータツウプレート）装置３に送られる一方、カラープルーフ作成のためのフロント装置である網点画像データ生成装置１００に送られ、網点画像データ生成装置１００で２値の網点画像データを生成し、この網点画像データに基づいてカラープルーフ作成装置１でカラープルーフを作成するように構成されている。
【００２１】
図１の網点画像データ生成装置１００及びカラープルーフ作成装置１によりプルーフ作成システム１０１が構成され、このプルーフ作成システム１０１により印刷工場における印刷の際に印刷出力対象の絵柄、色調、文章、文字等の確認を行うためのカラープルーフ（校正用サンプル）を作成し出力する。このカラープルーフで色調やモアレ・ムラ等を確認し、図１のＣＴＰ３で原版を作成してから印刷機で印刷工程を実行する。
【００２２】
次に、図１の網点画像データ生成装置１００の構成について図５を参照して説明する。図５は図１の網点画像データ生成装置１００の要部を示すブロック図である。
【００２３】
図５に示すように、網点画像データ生成装置１００は、いわゆるパーソナルコンピュータ（ＰＣ）から構成され、図１のＲＩＰ２から画像データが入力する画像データＩ／Ｆである画像データ入力部１２１と、入力した画像データの画像変換を行うルックアップテーブル（ＬＵＴ）変換部１２２と、ＬＵＴ変換部１２２に対し個別のルックアップテーブル（ＬＵＴ）を設定できるルックアップテーブル（ＬＵＴ）設定部１２３と、画像変換された画像データの網点化処理を行う網点化処理部１２４と、網点化処理部１２４に対し個別の網点データを設定できる網点設定部１２５と、を備える。網点画像データ生成装置１００で生成された２値の網点画像データはカラープルーフ作成装置１に送られる。
【００２４】
また、プルーフ複製のために、その出力に必要な情報がコード化されて記憶された画像としてプルーフの隅等の一部に形成されているが、図５のように、網点画像データ生成装置１００は、プルーフのコード化された画像から出力に必要な情報を読み取るための読取部１２６を備える。
【００２５】
次に、図１のカラープルーフ作成装置１について図２，図３を参照して説明する。図２は図１のカラープルーフ作成装置の内部を正面側から見た図である。図３は図２のカラープルーフ作成装置のドラム及び光学ユニットを上部から見た要部平面図である。
【００２６】
図２に示すように、カラープルーフ作成装置１は、カラープルーフを作成するために銀塩カラー感光材料（以下、単に「感光材料」または「感光紙」ともいう。）に露光し画像を形成する露光ユニット１１と、露光された感光材料を現像する現像ユニット２１と、を備える。
【００２７】
図２に示すように、カラープルーフ作成装置１の露光ユニット１１は、内部にロール状に巻かれたシート状感光材料である感光紙を収納した専用のカートリッジ１３を装填し収容する装填部１２，１２’と、装填部１２，１２’に装填されたカートリッジ１３から感光紙を給送する搬送ローラ対４０，４１，４２等からなる給送部１４と、給送部１４から給送された感光紙Ｓを外周面に真空吸引し保持しながら主走査のために回転方向Ｒに回転するドラム１０と、ドラム１０上の感光紙に対しＬＥＤ光等の光ビームを露光する光学ユニット１６と、光学ユニット１６を副走査のために副走査方向（図１の紙面垂直方向）Ｈ（図３）に搬送する副走査部１７と、画像記録後のドラム１０上の感光紙を剥離する剥離部材１５と、を備える。露光後の感光紙は出口１９及び接続部１９ａを通して現像ユニット２１へと搬送される。
【００２８】
図２のカラープルーフ作成装置１は、更に、搬送ローラ対４２の下流側に配置されドラム１０に向けて送られる感光紙の搬送に従い従動回転する従動ローラ３１と、感光紙をドラム１０との間で搬送する従動ローラ３１と、ドラム１０上から剥離部材１５で剥離された感光紙をドラム１０と従動ローラ３１とで搬送するときに感光紙をガイドするアキュームガイド部材１８と、アキュームガイド部材１８で送られてきた感光紙を出口１９へと更に搬送する搬送ローラ対３２と、搬送ローラ対３２に達した感光紙をアキュームするためにアキュームガイド部材１８の一部が開放されることで形成されるアキュームレート部３０と、搬送ローラ対３２の下流側近傍に配置された感光紙の先端を検出する検出センサ３３と、を備える。
【００２９】
また、搬送ローラ対４２の下流側近傍に配置された比較的幅狭の従動ローラ４３は記録紙の移動とともに従動回転し、この従動ローラ４３と同軸にロータリエンコーダ（図示省略）が連結されている。このロータリエンコーダが従動ローラ４３とともに回転し回転量を測定することで搬送ローラ対４２を通過して回転ドラム１０に巻き付けられた感光紙の長さを求めることができる。また、下流側の搬送ローラ対３２は、ワンウェイクラッチ構造を有し、感光紙の下流側への送り出し方向への回転が自在となっている。
【００３０】
図２の搬送ローラ対４０，４１の下流側近傍には感光紙を切断するカット部１０ａがそれぞれ配置されており、各カット部１０ａはモータ（図示省略）により回転駆動されるロータリカッタを有し、上述の感光紙の長さ測定に基づいて感光紙を所定長さに切断する。
【００３１】
図２の現像ユニット２１は、露光ユニット１１から送られた露光後の感光紙について湿式現像を行うもので、感光紙の現像処理を行う現像部２３と、定着処理を行う定着部２４と、安定処理を行う安定部２５と、乾燥処理を行う乾燥部２６と、乾燥された感光紙を搬送ローラ対２７ａ等で外部に排出する排出部２７と、排出されて出力した感光紙を集積する集積部２８と、を備える。
【００３２】
図３のように、カラープルーフ作成装置１のドラム１０は、回転軸部１４’の回転軸１４ａ及び回転軸部１８ａの回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム駆動用パルスモータＭ６の出力プーリ３５ｂとベルト３６により連結され、ドラム駆動用パルスモータＭ６の駆動によりドラム１０が回転する。また、ドラム１０の回転軸１５ａには、ロータリーエンコーダ３７が設けられ、回転のためのパルス信号を出力してドラムの回転に同期した画素クロック制御に用いる。
【００３３】
ドラム１０の他方の回転軸１４ａは吸引ブロアＰ１に連結されている。ドラム１０の表面には吸着孔３１ｃが回転軸方向に直線状に延びて多数形成されており、吸引ブロアＰ１の駆動によりドラム１０の内部が減圧されて感光紙がドラム１０の表面に吸着される。
【００３４】
光学ユニット１６は、副走査部１７によりドラム軸と平行に移動可能に構成され、ドラム１０に吸着された感光紙に光ビームで露光して画像の書き込みを行う。図３に示すように、光学ユニット１６には、異なる３波長の光源としてＬＥＤユニット３２０、ＬＥＤユニット３２１、ＬＥＤユニット３２２が配置されている。各ＬＥＤユニット３２０，３２１，３２２はそれぞれ複数チャンネル分の基板上に配置された発光ダイオード（ＬＥＤ）を備え、各ＬＥＤユニット３２０，３２１，３２２からの光ビームは、ミラー３２５、３２６、３２７を介して、集光レンズ３３１からドラム１０上の感光紙に画像を露光する。露光シャッタ３３２は露光ソレノイド３３３により開閉することで、露光開始／終了時に光路の開閉を行なう。
【００３５】
また、複数のＬＥＤユニット３２０，３２１，３２２は、例えば、それぞれ波長４５０ｎｍ程度のＢ（ブルー）、波長５４０ｎｍ程度のＧ（グリーン）、波長６５０ｎｍ程度のＲ（レッド）の各色を発光するように構成でき、各ＬＥＤユニットにより銀塩カラー感光材料を露光したとき、ＢによりＹ（イエロー）、ＲによりＭ（マゼンダ）、ＧによりＣ（シアン）がそれぞれ発色するようになる。
【００３６】
光学ユニット１６は、移動ベルト３４０に固定され、一対のガイドレール３４１、３４２に案内されてドラム軸と平行方向の副走査方向Ｈ及びその反対の方向Ｈ’に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６がドラム軸と平行に副走査方向Ｈ、その反対の方向Ｈ’に移動する。
【００３７】
図３に示すように、吸引ブロアＰ１は空気吸引ポンプにより吸引連結管５１’を通してドラム１０内を吸引し、露光ユニット１１による露光開始前にドラム１０内を負圧にし感光紙を外周面に吸着する。
【００３８】
また、プルーフ複製のために、その出力に必要な情報がコード化されて記憶された画像としてプルーフの隅等の一部に形成されているが、図２の破線で示すように、カラープルーフ作成装置１の上部には、プルーフのコード化された画像から出力に必要な情報を読み取るための読取部７０が配置されている。
【００３９】
次に、図２，図３のカラープルーフ作成装置１における画像データの流れ及び制御系について図４を参照して説明する。図４は、図２，図３のカラープルーフ作成装置１の露光ユニット１１における画像データの流れ及びカラープルーフ作成装置１の制御系のブロック図である。
【００４０】
図４のように、露光ユニット１１は、図１，図５の網点画像データ生成装置１００からのＹＭＣＫの２値網点画像データが入力する画像データＩ／Ｆ部５２と、画像データＩ／Ｆ部５２からの網点画像データをいったん記憶し随時出力するハードディスク記憶装置等からなるデータバッファ５３と、データバッファ５３からのＹＭＣＫの２値網点画像データに対する光源駆動値を対応づけて感光紙に対する露光のための露光データとするルックアップテーブル（ＬＵＴ）５４と、ルックアップテーブル５４からの露光データのデジタル信号をアナログ信号に変換するＢ、Ｇ、Ｒの各ＬＥＤユニット３２０〜３２２に対応した複数のＤ／Ａ変換部５５ａ，５５ｂ，５５ｃと、Ｄ／Ａ変換部５５ａ〜５５ｃからの各アナログ信号により各ＬＥＤユニット３２０〜３２２の各ＬＥＤを直接にアナログ変調しドライブする複数のドライバ５６ａ，５６ｂ，５６ｃと、を備える。
【００４１】
図４の制御部５０は、中央演算処理装置（ＣＰＵ）等から構成され、読取部７０の読取信号が入力し、画像データＩ／Ｆ部５２、データバッファ５３、ルックアップテーブル５４、表示部２及び他の装置部分を制御する。
【００４２】
また、制御部５０は、濃度−露光量テーブル６０及びカラーコレクションテーブル６１をメモリに保存する。濃度−露光量テーブル６０は、感光紙における発色濃度に対する露光量のテーブルであり、記録材料の特性を記憶するもので、例えば感光紙のロットや種類が変わる度に変更する。カラーコレクションテーブル６１は、刷版インキの色等の印刷条件に合わせて色を調整するためのテーブルであり、刷版インキ等の印刷条件が変わる度に変更する。なお、カラーコレクションテーブル６１は、フロント装置側の網点画像データ生成装置１００に設定されてもよい。
【００４３】
制御部５０は、露光前に、入力した２値網点画像データに設定された発色濃度を濃度−露光量テーブル６０で露光量に変換し光源駆動値を補正し、また、カラーコレクションテーブル６１で色調整のため光源駆動値を補正し、これらの補正された光源駆動値を各画像データに対応づけてルックアップテーブル５４に露光の度に設定する。そして、ルックアップテーブル５４からの露光データによりドライバ５６ａ〜５６ｃで駆動された各ＬＥＤユニット３２０〜３２２からドラム１０の外周面に保持された感光紙に対し露光することで画像形成を行う。
【００４４】
上述のカラープルーフ作成装置１には、露光光量等の装置固有の差を含むルックアップテーブル５４のような第１テーブルと、感材種別、感度指数といったプルーフ作成システム１０１に固有の第２テーブルと、カラーコレクションテーブル６１などのようなプルーフ作成装置１よりも下流の印刷機等に関する差を持つ第３テーブルとがあるが、カラープルーフを作成する際にはカラープルーフ作成装置１は転送された画像データと第１〜第３テーブルのデータとの掛け合わせにより出力を行う。このため、プルーフ複製を作成するためには、フロント装置側（網点画像データ生成装置１００）で認識できる画像データを参照するためのジョブチケットや画像データ格納先といった情報及び機器（プルーフ作成システム１０１以外）の条件が固定されない場合には、装置側で使用している後者２種の第２及び第３テーブルが必要となる。
【００４５】
次に、図１のプルーフ作成システム１０１においてプルーフの複製物を作成する場合の動作について図６のフローチャートを参照して説明する。
【００４６】
まず、図１のＲＩＰ２でラスター・イメージ変換処理されたデータが画像データ生成装置１００に入力し、画像データ生成装置１００で２値の網点画像データを生成する（Ｓ０１）。このとき、プルーフの複製物を出力するために必要な情報が画像データ生成装置１００に入力され、これにより、その情報をコード化した画像データを生成する（Ｓ０２）。
【００４７】
なお、上述のようにプルーフの複製物を出力するために必要なコード化する情報には、プルーフ複製物の納入先等の画像情報や、カラーコレクションテーブル６１等の出力条件のようなフロント装置側で生成する情報（プルーフ作成システム１０１以外の機器から得る情報を含む）と、図４のルックアップテーブル５４や濃度−露光量テーブル６０のようなカラープルーフ作成装置１内で生成する情報の２種類がある。また、上記第２及び第３テーブルは、コードを参照後ジョブチケットなどの管理情報を参照し、同管理情報に付随させて使用する場合もあるため、コード化する情報は、フロント装置側で生成する情報（プルーフ作成システム１０１以外の機器から得る情報を含む）のみの場合もある。
【００４８】
次に、２値の網点画像データ及びコード化画像データをカラープルーフ作成装置１に転送し、２値の網点画像データに基づいて上述のようにして感光紙に露光する（Ｓ０４）。次に、露光済み感光紙を現像してからプルーフとして出力させる（Ｓ０５）。
【００４９】
上記プルーフの模式図を図７に示すが、プルーフＰは、プルーフ画像Ｇが中央領域に形成されるとともに、プルーフＰの隅であってプルーフ画像Ｇの周囲の一部に情報がコード化されて記憶されたコード化画像Ｃが形成されている。
【００５０】
次に、上記プルーフの複製物が不要であり、次のプルーフ作成のための画像データがあると、上記ステップＳ０１に戻る（Ｓ０６）。
【００５１】
また、プルーフＰの複製物が必要な場合（Ｓ０６）、カラープルーフ作成装置１の図２，図４の読取部７０で図７のプルーフＰのコード化画像Ｃから複製物の出力のために必要な情報を読み取る（Ｓ０７）。
【００５２】
次に、上述の読み取られた情報及び２値の網点画像データに基づいて感光紙に露光し（Ｓ０８）、その露光済み感光紙を現像してからプルーフの複製物として出力させる（Ｓ０９）。
【００５３】
上述の図６の動作によれば、図７のようにプルーフＰに複製物の出力に必要な情報をコード化画像Ｃとして形成しておき、その後、プルーフＰの複製物を作成する場合、プルーフＰのコード化画像Ｃから出力に必要な情報を読み取り、読み取られた情報及びプルーフＰの作成のときの画像データに基づいてプルーフの複製物を作成するので、画像データ及び出力条件を保証したプルーフの複製物を作成できる。
【００５４】
従来、印刷工程においてプルーフは、(1)前工程までの色確認（例えば、文字の大きさ、フォント、画像データなどの色・配置確認）、(2)印刷の依頼主に対する確認用途、(3)印刷物を刷る際の見本、の順で使用され、(1)→(2)→(3)の順番で最新の出力物が使い回されるか、または、次の項目へ移行する段階でプルーフの複製物を作成しているが、フロント装置以前の各工程がジョブチケット（作業指示書）情報などにより、関連付けされているのに対し、デジタルデータと出力物という媒体の違いから、双方の関連性は失われており、時間経過後に、カラープルーフの複製物を作成する場合、プルーフ自体と出力した複製物との整合性を保証することができずに、従来までは、プルーフを管理帳票で管理し、間接的に確認可能としていたのに対し、本実施の形態では、複製物の出力に必要な情報をコード化画像として予めプルーフに形成しておき、プルーフの複製物を作成するとき、そのコード化画像を読み取りるので、出力条件を保証したプルーフの複製物を出力できる。また、網点画像データは、網点画像データ生成装置１００に保存していたデータを使用することで整合性を取ることができるが、複製物の作成のときに、図１のＲＩＰ２からのデータに基づいて新たに生成するようにしてもよい。
【００５５】
次に、図１のプルーフ作成システム１０１においてプルーフの複製物を作成する場合の別の動作について図８のフローチャートを参照して説明する。
【００５６】
まず、画像データ生成装置１００で２値の網点画像データを生成し（Ｓ１１）、このとき、画像データ生成装置１００の図５の読取部１２６で図７のプルーフＰのコード化画像Ｃから複製物の出力のために必要な情報を読み取る（Ｓ１２）。
【００５７】
次に、生成した２値の網点画像データ及び読み取られた情報をカラープルーフ作成装置１に転送し（Ｓ１３）、これらに基づいて感光紙に露光し（Ｓ１４）、その露光済み感光紙を現像してからプルーフの複製物として出力させる（Ｓ１５）。なお、読み取られた情報は例えば網点画像データの付帯情報法として転送できる。
【００５８】
上述の図８の動作によれば、プルーフの複製物を出力する場合、画像データ生成装置１００の図５の読取部１２６で図７のプルーフＰのコード化画像Ｃから複製物の出力のために必要な情報を読み取り、読み取られた情報を網点画像データとともに転送し、カラープルーフ作成装置１で読み取られた情報及び網点画像データに基づいてプルーフの複製物を作成するので、画像データ及び出力条件を保証したプルーフの複製物を作成できる。
【００５９】
以上のように、図６〜図８の各実施の形態によれば、プルーフ自体が出力条件の情報をもつことにより、同一条件で出力された複製物を作成でき、各出力物とデジタルデータとの整合性を取ることができる。
【００６０】
なお、図７のコード化画像Ｃとしては例えば、公知のバーコードがあり、その読取部７０，１２６は、バーコードを検出し、その情報内容を認識し、複製物の出力に必要な情報信号を出力する。
【００６１】
次に、複製物の出力に必要な情報を非接触タグであるＩＣタグに記憶させてプルーフに付加するようにした例について図９を参照して説明する。図９は、プルーフに付加されるＩＣタグ及びカラープルーフ作成装置１に設けられたＩＣタグ読取部の電気回路図である。
【００６２】
図７の破線に示すように、プルーフＰには、複製物の出力に必要な情報を記憶させたＩＣタグ６６をプルーフＰの隅であってプルーフ画像Ｇの周囲の一部（非画像領域）に取り付けている。ＩＣタグ６６は、プルーフＰの表面のみならず裏面に取り付けてもよい。
【００６３】
なお、ＩＣタグ６６に記憶される情報は、上述の画像情報・出力条件であるが、書き込み装置を用いてＩＣタグ６６に記録することができる。記録のタイミングとしては、対応するプルーフを作成したときや網点画像データを生成したとき等であってよいが、これらに限定されない。
【００６４】
図９に示すように、ＩＣタグ読取部７０’は、コイル部７１と、電源７２と、送信のための変調部７０ａと、受信のための復調部７０ｂとを含み、図４の破線で示すように、制御部５０により制御される。
【００６５】
また、ＩＣタグ６６は、微小なＩＣチップから構成され、金属薄膜からなるコイル部６７と、送信のための変調部６６ａと、受信のための復調部６６ｂと、を含む。読取部７０’のコイル部７１と、ＩＣタグ６６のコイル部６７とが交流磁界によるコイルの相互誘導・電磁誘導により交信し電源供給がなされる。
【００６６】
図９において、ＩＣタグ読取部７０’からコイル部７１を介して送信すると、ＩＣタグ６６がコイル部６７で受信し電力を内部で蓄積して電源とするとともに、ＩＣチップに記憶された情報信号を読取部７０に送信する。ＩＣタグ読取部７０’は、受信した情報信号を復調部７０ｂで解読し、その読み取り情報を内蔵のメモリに蓄積し、必要に応じてインターフェイスを介して図４の制御部５０に転送し、制御部５０ではその読み取り情報に基づいて複製物の出力に必要な情報を得る。
【００６７】
上述のように、ＩＣタグ読取部７０’はＩＣタグ６６から電波により通信を行うことで非接触で複製物の出力に必要な情報を読み取る。また、ＩＣタグ６６はコイル部６７でＩＣタグ読取部７０’から受信し、その電力を動作電力に用いるので駆動電源が不要であり、また、ＩＣタグ読取部７０’と非接触で接続できる。また、外部との接触用端子が不要であり、コイル部とＩＣチップだけで構成できるので、低コスト化、軽量化、小型化を図ることができる。また、画像データ生成装置１００に、図９と同様のＩＣタグ読取部を備えさせてよいことは勿論である。
【００６８】
上述の図９のＩＣタグ６６を図７のプルーフＰに取り付けておき、カラープルーフ作成装置１でプルーフの複製物を作成するときに、例えば図６のステップＳ０７で図４のカラープルーフ作成装置１のＩＣタグ読取部７０’によりＩＣタグ６６から非接触で複製物の出力に必要な情報を読み取ることができる。また、図８のステップＳ１２で図５の画像データ生成装置１００に備えさせた同様のＩＣタグ読取部でＩＣタグ６６から非接触で複製物の出力に必要な情報を読み取ることができる。
【００６９】
以上のように本発明を実施するための最良の形態について説明したが、本発明はこれらに限定されるものではなく、本発明の技術的思想の範囲内で各種の変形が可能である。例えば、図７のプルーフのコード化画像ＣまたはＩＣタグ６６に記憶させる情報は、固有情報だけであってもよく、固有情報に対応する画像情報・出力条件等の複製物の出力に必要な情報をカラープルーフ作成装置１や画像データ生成装置１００に記録しておき、コード化画像ＣやＩＣタグ６６から固有情報を読み取ったときに参照可能なように構成してもよい。
【００７０】
また、ＩＣタグは、図９では密に結合した電磁誘導作用を利用した電磁結合方式によるものを用いたが、本発明では、これに限定されず他の種類のＩＣタグやＩＤタグを用いてもよく、例えば、静電気結合方式、電磁誘導方式、マイクロ波方式等によるものを利用できる。また、上記非接触タグとしてＩＣタグ以外のものであってもよく、例えば磁気タグを用いることができる。
【００７１】
また、図１の破線で示すようにクライアント端末１から直接にＰＳデータを画像データ生成装置１００に入力し、画像データ生成装置１００においてＰＳデータのラスター・イメージ変換処理を行うようにしてもよい。
【００７２】
また、図１の画像データ生成装置１００に入力する画像データは、各種のフォーマットの画像データであってよく、例えば、ベクトル系としては、ＰＳ(PostScript)データ以外に、ＰＤＦ、ＥＰＳ等であってもよく、また、ラスター系としてはＴＩＦＦ，ＴＩＦＦ／ＩＴ、その他専用フォーマット等であってよく、更に、２値データとしては、ＴＩＦＦbitmap、その他専用フォーマット等であってもよい。
【図面の簡単な説明】
【００７３】
【図１】本実施の形態によるプルーフ作成システムを含む印刷システムの構成例を概略的に示す図である。
【図２】図１のカラープルーフ作成装置の内部を正面側から見た図である。
【図３】図２のカラープルーフ作成装置のドラム及び光学ユニットを上部から見た要部平面図である。
【図４】図２，図３のカラープルーフ作成装置１の露光ユニット１１における画像データの流れ及びカラープルーフ作成装置１の制御系のブロック図である。
【図５】図１の網点画像データ生成装置１００の要部を示すブロック図である。
【図６】図１のプルーフ作成システム１０１においてプルーフの複製物を作成する場合の動作を説明するためのフローチャートである。
【図７】図１のプルーフ作成システム１０１で作成されたプルーフの例を示す模式図である。
【図８】図１のプルーフ作成システム１０１においてプルーフの複製物を作成する場合の別の動作を説明するためのフローチャートである。
【図９】図７のプルーフに付加されるＩＣタグ及びカラープルーフ作成装置１に設けられたＩＣタグ読取部の電気回路図である。
【符号の説明】
【００７４】
１ カラープルーフ作成装置
１００ 網点画像データ生成装置
１０１ プルーフ作成システム
５０ 制御部
５４ ルックアップテーブル
６０ 濃度−露光量テーブル
６１ カラーコレクションテーブル
６６ ＩＣタグ
７０ 読取部
７０’ ＩＣタグ読取部
１２６ 読取部
Ｃ コード化画像
Ｐ プルーフ
【図１】
2006113452.tif 000003
【図２】
2006113452.tif 000004
【図３】
2006113452.tif 000005
【図４】
2006113452.tif 000006
【図５】
2006113452.tif 000007
【図６】
2006113452.tif 000008
【図７】
2006113452.tif 000009
【図８】
2006113452.tif 000010
【図９】
2006113452.tif 000011